(57)【要約】    【課題】  振動や衝撃によって固定部材の応力開放方向に結像手段が移動してしまう現象や、結像手段が案内部から押し上げられたり意図しない変形を起こしたりする現象を防止可能とした光学機構保持構造を提供する。    【解決手段】  画像読取装置は、レンズユニット101、CCD基板ユニット102、ベースフレーム103、案内部104、レンズ固定部材105、取付ブラケット106を備える。レンズユニット101の光軸方向両端部に、斜面部110を設け、斜面部形成個所の間に、取付ブラケット106が極僅かの隙間をもって嵌合可能な嵌合部111を設ける。レンズ固定部材105の両端部に、レンズユニット101の斜面部110と対応する形状の押圧部105aを設ける。取付ブラケット106の上部に、レンズ固定部材105の取り付け位置を決定し回転を規制する位置決めピン109を備える。【選択図】      図１
2005181887.tif 000002
【特許請求の範囲】
【請求項１】
原稿からの反射光を光電変換手段に導光する結像手段と、前記結像手段を光軸と平行に移動可能に保持する案内部が配設された支持部材と、前記結像手段を前記支持部材に固定する固定部材と備え、
前記結像手段の外側部分または前記固定部材の何れか一方に少なくとも一つの斜面部を設け、前記固定部材により前記斜面部を介して前記結像手段を光軸に対し交差する方向に押圧することを特徴とする光学機構保持構造。
【請求項２】
前記固定部材を保持し、前記結像手段に装着されると共に前記支持部材に固定されるブラケットを備え、
前記固定部材は、弾性素材から構成されると共に、前記ブラケットに取り付けられた状態において前記結像手段を光軸に対し斜め方向に押圧し、
前記ブラケットは、非弾性素材から構成されると共に、前記固定部材の取り付け位置を決定し回転を規制する位置決め手段を備えることを特徴とする請求項１記載の光学機構保持構造。
【請求項３】
前記ブラケットの前記支持部材に対する取り付け位置は、前記支持部材の前記案内部における前記結像手段の位置に応じて移動可能であることを特徴とする請求項１記載の光学機構保持構造。
【請求項４】
前記結像手段は、光軸方向の両端部側に前記固定部材から光軸に対し斜め方向の押圧力を受ける斜面部を備えると共に、前記両端部の間に前記ブラケットが極僅かの隙間をもって嵌合可能な嵌合部を備え、
前記固定部材は、前記結像手段の前記斜面部に対応する押圧部を備えることを特徴とする請求項１記載の光学機構保持構造。
【請求項５】
前記結像手段は、光軸方向の一方の端部側に前記固定部材から光軸に対し斜め方向の押圧力を受ける斜面部を備えると共に、光軸方向の他方の端部側に前記固定部材から光軸と平行に押圧力を受ける垂直面部を備え、
前記固定部材は、前記結像手段の前記斜面部に対応する斜め押圧部と前記垂直面部に対応する突き当て部を備えると共に、前記結像手段の両端部の間を下方向に押圧する下方押圧部を備えることを特徴とする請求項１記載の光学機構保持構造。
【請求項６】
前記固定部材は、前記結像手段の光軸方向の両端部を下方向に押圧する押圧部を備え、
前記押圧部は、前記結像手段が前記支持部材に接触する部分の直上付近を押圧することを特徴とする請求項１記載の光学機構保持構造。
【請求項７】
前記請求項１乃至６の何れかに記載の光学機構保持構造を有する光学機構を備え、前記光学機構を構成する結像手段及び光電変換手段により原稿から画像を読み取ることを特徴とする画像読取装置。
【請求項８】
前記請求項１乃至６の何れかに記載の光学機構保持構造を有する光学機構を備え、前記光学機構を構成する結像手段及び光電変換手段により原稿から画像を読み取ると共に読取画像に基づき媒体上に画像形成を行うことを特徴とする画像形成装置。
【発明の詳細な説明】
【技術分野】
【０００１】
本発明は、原稿の画像を光電変換素子を用いて読み取る画像読取装置のレンズユニットを保持する光学機構保持構造、複写機やファクシミリに搭載される画像読取装置、イメージスキャナ等の画像読取装置、及び複写機や複合機等の画像形成装置に関する。
【背景技術】
【０００２】
従来、複写機やファクシミリに搭載される画像読取装置、イメージスキャナ等の画像読取装置は、一般に、原稿照明用の露光ランプや導光用の折り返しミラーからなる走査光学系により原稿の読取面を走査する際に得られる反射光を、レンズユニット(複数枚のレンズを鏡筒の内部に保持したもの)を介して光電変換素子上に結像させ、光電変換素子により電気信号に変換するように構成されている。
【０００３】
このような画像読取装置に装備されるレンズユニットの保持構造としては、例えば図１２〜図１５に示すようなものがある。
【０００４】
図１２は、従来例に係る画像読取装置のレンズユニットの保持構造を示す上面図である。
【０００５】
図１２において、画像読取装置にレンズユニット４５０を装着する際、まず、レンズユニット４５０をレンズ台４５１上に配設された角穴４５２に載置し位置調整する。位置調整後、振動や衝撃によってレンズユニット４５０内のレンズの位置が変化しないように、弾性部材からなるレンズユニット固定部材４５３を、光軸に対して垂直方向(図１２の紙面表から裏に向かう方向)から２本のねじ４５４によってレンズ台４５１に固定することで、レンズユニット４５０を抱き込み、レンズユニット４５０をベースフレーム４５５に取り付けるものが知られている(例えば、特許文献１参照)。
【０００６】
図１３は、他の従来例に係る画像読取装置の主要部の構成を示す上面図、図１４は、図１３における矢視I-I線に沿う断面図、図１５は、図１３における矢視II-II線に沿う断面図である。
【０００７】
図１３〜図１５において、角穴が配設された２つのサブレンズ台５１６、５１７でレンズユニット５１５の光軸方向両端を挟み込んだ状態でサブレンズ台５１６、５１７を固定し、これをサブユニットとしてメインレンズ５２０台上に載せて位置調整を行った後、レンズユニット固定部材５１９でレンズユニット５１５を抱き込み保持しながら、レンズユニット固定部材５１９とサブユニットを本体フレームに固定するものも提案されている (特許文献２参照)。
【特許文献１】実開昭６４-２８０５８号公報
【特許文献２】特開平８-５６２８２号公報
【発明の開示】
【発明が解決しようとする課題】
【０００８】
しかしながら、上記従来技術に示したようなレンズユニットを抱き込んで保持する構造においては、以下のような問題があった。
【０００９】
（１）特許文献１では、レンズユニット４５０の光軸方向（図１２の左右方向）への位置ずれを規制するものがベースフレーム４５５とレンズユニット４５０との間の摩擦力しかないため、振動や衝撃によってレンズユニット４５０の位置が変化し、レンズのピント及び倍率のずれを生じやすい。また、ベースフレーム４５５とレンズユニット４５０との間の摩擦力を強くするために、レンズユニット固定部材４５３のレンズユニット４５０に対する押圧力を強くすると、レンズユニット４５０が変形してしまう。
【００１０】
（２）また、特許文献１では、レンズのピント調整後に、レンズユニット固定部材４５３をレンズ台４５１に固定するための２本のネジ４５４を順番に締め付けるため、レンズユニット固定部材４５３によるレンズユニット４５０のベースフレーム４５５に対する押圧力の方向が変化し、レンズユニット４５０を角穴４５２から押し上げてしまう。
【００１１】
（３）特許文献２では、光軸方向へのレンズユニット５１５の位置ずれ防止のために、２つのサブレンズ台５１６、５１７でレンズユニット５１５を挟み込んでから本体フレームに取り付ける構成であるため、構造が複雑化し、組立性の悪化及びコスト上昇につながる。
【００１２】
（４）また、特許文献２では、レンズユニット固定部材５１９がレンズユニット５１５を抱き込むような形状をしているため、レンズユニット５１５の位置調整時や本体フレームに対するレンズユニット固定部材５１９の固定時に、レンズユニット固定部材５１９に応力が残留し、振動や衝撃を受けた際に応力を開放する方向にレンズユニット５１５が移動することで、レンズのピント及び倍率が変化してしまう。
【００１３】
本発明の目的は、振動や衝撃によって固定部材の応力開放方向に結像手段が移動してしまう現象や、結像手段が案内部から押し上げられたり意図しない変形を起こしたりする現象を防止することを可能とした光学機構保持構造、画像読取装置、及び画像形成装置を提供することにある。
【課題を解決するための手段】
【００１４】
上述の目的を達成するために、本発明は、原稿からの反射光を光電変換手段に導光する結像手段と、前記結像手段を光軸と平行に移動可能に保持する案内部が配設された支持部材と、前記結像手段を前記支持部材に固定する固定部材と備え、前記結像手段の外側部分または前記固定部材の何れか一方に少なくとも一つの斜面部を設け、前記固定部材により前記斜面部を介して前記結像手段を光軸に対し交差する方向に押圧することを特徴とする。
【００１５】
また、本発明は、前記固定部材を保持し、前記結像手段に装着されると共に前記支持部材に固定されるブラケットを備え、前記固定部材は、弾性素材から構成されると共に、前記ブラケットに取り付けられた状態において前記結像手段を光軸に対し斜め方向に押圧し、前記ブラケットは、非弾性素材から構成されると共に、前記固定部材の取り付け位置を決定し回転を規制する位置決め手段を備えることを特徴とする。
【００１６】
また、本発明は、前記ブラケットの前記支持部材に対する取り付け位置は、前記支持部材の前記案内部における前記結像手段の位置に応じて移動可能であることを特徴とする。
【００１７】
また、本発明は、前記結像手段は、光軸方向の両端部側に前記固定部材から光軸に対し斜め方向の押圧力を受ける斜面部を備えると共に、前記両端部の間に前記ブラケットが極僅かの隙間をもって嵌合可能な嵌合部を備え、前記固定部材は、前記結像手段の前記斜面部に対応する押圧部を備えることを特徴とする。
【００１８】
また、本発明は、前記結像手段は、光軸方向の一方の端部側に前記固定部材から光軸に対し斜め方向の押圧力を受ける斜面部を備えると共に、光軸方向の他方の端部側に前記固定部材から光軸と平行に押圧力を受ける垂直面部を備え、前記固定部材は、前記結像手段の前記斜面部に対応する斜め押圧部と前記垂直面部に対応する突き当て部を備えると共に、前記結像手段の両端部の間を下方向に押圧する下方押圧部を備えることを特徴とする。
【００１９】
また、本発明は、前記固定部材は、前記結像手段の光軸方向の両端部を下方向に押圧する押圧部を備え、前記押圧部は、前記結像手段が前記支持部材に接触する部分の直上付近を押圧することを特徴とする。
【００２０】
また、本発明は、画像読取装置が、前記光学機構保持構造を有する光学機構を備え、前記光学機構を構成する結像手段及び光電変換手段により原稿から画像を読み取ることを特徴とする。
【００２１】
また、本発明は、画像形成装置が、前記光学機構保持構造を有する光学機構を備え、前記光学機構を構成する結像手段及び光電変換手段により原稿から画像を読み取ると共に読取画像に基づき媒体上に画像形成を行うことを特徴とする。
【００２２】
更に、本発明は、前記結像手段は、光軸方向の両端部側に前記固定部材から光軸に対し斜め方向の押圧力を受ける斜面部を備えると共に、前記両端部の間に前記ブラケットが極僅かの隙間をもって嵌合可能な嵌合部を備え、前記固定部材は、前記結像手段の前記斜面部に対応する押圧部を備え、前記固定部材の前記押圧部により前記結像手段の両端部側の前記斜面部にそれぞれ加えられる押圧力は、前記結像手段の光軸方向外側を向き且つ光軸に対し斜め下方向の押圧力である、としてもよい。
【００２３】
更に、本発明は、前記結像手段は、光軸方向の一方の端部側に前記固定部材から光軸に対し斜め方向の押圧力を受ける斜面部を備えると共に、光軸方向の他方の端部側に前記固定部材から光軸と平行に押圧力を受ける垂直面部を備え、前記固定部材は、前記結像手段の前記斜面部に対応する斜め押圧部と前記垂直面部に対応する突き当て部を備えると共に、前記結像手段の両端部の間を下方向に押圧する下方押圧部を備え、前記固定部材の前記斜め押圧部により前記結像手段の前記斜面部に加えられる押圧力は、前記結像手段の光軸方向外側を向き且つ光軸に対し斜め下方向の押圧力である、としてもよい。
【発明の効果】
【００２４】
本発明によれば、結像手段の外側部分または固定部材の何れか一方に少なくとも一つの斜面部を設け、固定部材により斜面部を介して結像手段を光軸に対し交差する方向に押圧するため、結像手段を支持部材に対し確実に固定することが可能となり、また、固定部材が結像手段に及ぼす力を小さくでき、結像手段が変形する現象を防止することができる。更に、固定部材が結像手段を抱き込むような構成をとらないので、固定部材で結像手段を固定した後に固定部材に応力が残留している状態において、振動や衝撃を受けた際に、応力開放方向に結像手段が移動する現象を防止することができる。
【００２５】
また、本発明によれば、固定部材は、弾性素材から構成され、ブラケットに取り付けられた状態において結像手段を光軸に対し斜め方向に押圧し、ブラケットは、非弾性素材から構成され、固定部材の取り付け位置を決定し回転を規制する位置決め手段を備えるため、固定部材をブラケットに取り付ける際に、固定部材が回転したり回転方向に歪んだりする現象を防止することができる。また、ブラケットが変形したりすることによって、固定部材が結像手段に及ぼす押圧力の方向が変化し、結像手段が案内部から押し上げられたり、意図しない変形を起こしたりする現象を防止することができる。また、固定部材の弾性によって結像手段を確実に固定することが可能となる。
【００２６】
また、本発明によれば、ブラケットの支持部材に対する取り付け位置は、支持部材の案内部における結像手段の位置に応じて移動可能であるため、結像手段に対する、ブラケットに保持された固定部材の位置を一定に保つことができるので、固定部材が結像手段に及ぼす押圧力を結像手段の調整位置によらず一定に保つことができる。
【００２７】
また、本発明によれば、結像手段は、光軸方向の両端部側に固定部材から光軸に対し斜め方向の押圧力を受ける斜面部を備えると共に、両端部の間にブラケットが極僅かの隙間をもって嵌合可能な嵌合部を備え、固定部材は、結像手段の斜面部に対応する押圧部を備えるため、結像手段の位置を調整する際に、結像手段とブラケットを嵌合させておくことにより、結像手段またはブラケットの何れか一方のみを移動させると、他方もその動きに追随して移動するので、簡易な構成で組立作業性の良い光学機構を提供することが可能となる。
【００２８】
また、本発明によれば、結像手段は、光軸方向の一方の端部側に固定部材から光軸に対し斜め方向の押圧力を受ける斜面部を備えると共に、光軸方向の他方の端部側に固定部材から光軸と平行に押圧力を受ける垂直面部を備え、固定部材は、結像手段の斜面部に対応する斜め押圧部と垂直面部に対応する突き当て部を備えると共に、結像手段の両端部の間を下方向に押圧する下方押圧部を備えるため、固定部材が結像手段に対して斜めに突っ張る動作に加え、結像手段と支持部材との間に働く摩擦力を増大させるので、より強固に結像手段を固定することが可能となる。
【００２９】
また、本発明によれば、固定部材は、結像手段の光軸方向の両端部を下方向に押圧する押圧部を備え、押圧部は、結像手段が支持部材に接触する部分の直上付近を押圧するため、固定部材が結像手段を下方向に押圧する力を強くしても結像手段が変形せず、結像手段の光学性能を損なうことなく、結像手段を強固に固定することが可能となる。
【発明を実施するための最良の形態】
【００３０】
以下、本発明の実施の形態を図面に基づき説明する。
【００３１】
［第１の実施の形態］
図１は、本発明の第１の実施の形態に係る画像読取装置の主要部の構成を示す斜視図、図２は、画像読取装置の主要部の構成を示す上面図、図３は、画像読取装置のレンズユニットの斜面部及び嵌合部を示す図、図４は、レンズユニットと取付ブラケットの嵌合状態を示す図である。
【００３２】
図１乃至図４において、画像読取装置は、レンズユニット１０１（結像手段）、CCD基板ユニット１０２、ベースフレーム１０３（支持部材）、案内部１０４、レンズユニット固定部材（以下、レンズ固定部材と略称）１０５（固定部材）、レンズ固定部材取付ブラケット（以下、取付ブラケットと略称）１０６を備えている。図中１０７、１０８はねじ、１０９は位置決めピン（位置決め手段）である。
【００３３】
レンズユニット１０１は、不図示の光源により照明された原稿からの反射光をCCD基板ユニット１０２の不図示のCCDに結像させるものであり、レンズを収納している。レンズユニット１０１の光軸方向の両端部側には、レンズ固定部材１０５から光軸に対し斜め方向の押圧力を受ける斜面部１１０が配設されると共に、両端部の間に取付ブラケット１０６が極僅かの隙間をもって嵌合可能な嵌合部１１１が配設されている（図３参照）。CCD基板ユニット１０２は、ベースフレーム１０３の端部に固定されており、レンズユニット１０１により結像された光を電気信号に光電変換するCCDが搭載されている。
【００３４】
ベースフレーム（レンズステー）１０３は、レンズユニット１０１及びCCD基板ユニット１０２を保持する部材であり、ベースフレーム１０３の略中央部に案内部１０４が配設されている。案内部１０４は、レンズユニット１０１を光軸方向に移動可能に且つ光軸方向と直交する方向には移動しないように保持する角穴であり、長手方向寸法がレンズユニット１０１の光軸方向寸法より大きく且つ幅方向寸法がレンズユニット１０１の両端部の径より小さく設定されている。
【００３５】
レンズ固定部材１０５は、例えばバネ材のような弾性素材から構成され、レンズユニット１０１をベースフレーム１０３に押し付けつつ光軸方向への移動を規制する部材であり、該レンズ固定部材１０５の略中央部に形成されたねじ穴を介してねじ１０７により取付ブラケット１０６に固定されている。レンズ固定部材１０５の両端部には、ベースフレーム１０３の斜面部１１０と対応する形状の押圧部１０５ａが形成されている（図４参照）。また、レンズ固定部材１０５には、取付ブラケット１０６の後述する２ヶ所の位置決めピン１０９を貫通させるための貫通孔が形成されている。
【００３６】
取付ブラケット１０６は、非弾性素材から構成され、レンズ固定部材１０５を保持する部材であり、該取付ブラケット１０６のベースフレーム１０３に対する２ヶ所の載置部（ねじ取付部）に形成されたねじ穴を介してねじ１０８によりベースフレーム１０３に固定されている。取付ブラケット１０６の上部には、レンズ固定部材１０５の位置を決定し且つレンズ固定部材１０５の回転を規制するための位置決めピン１０９が２ヶ所に設けられている。取付ブラケット１０６のベースフレーム１０３に対する取り付け位置は、案内部１０４におけるレンズユニット１０１の位置に応じて移動可能である。
【００３７】
図３に示すように、レンズユニット１０１の光軸方向両端部には、斜面部１１０がそれぞれ周方向に沿って形成され、レンズユニット１０１の両側の斜面部形成個所の間には、取付ブラケット１０６が嵌合可能な嵌合部１１１が周方向に沿って形成されている。図中Ｌはレンズユニット１０１の光軸方向の中心線である。
【００３８】
また、図４に示すように、レンズユニット１０１を取付ブラケット１０６に保持されたレンズ固定部材１０５により固定した状態では、レンズユニット１０１の斜面部１１０を、レンズ固定部材１０５に配設された、前記斜面部１１０に対応する形状の押圧部１０５ａが押圧し、レンズユニット１０１の嵌合部１１１には、取付ブラケット１０６がその側面と嵌合部１１１が極僅かの隙間をもって嵌合するようになっている。
【００３９】
上記構成を有する画像読取装置において、レンズユニット１０１の位置の固定と、レンズユニット１０１及びCCDの位置の調整を行う際には、まず、ベースフレーム１０３に設けられた案内部１０４にレンズユニット１０１を載置した後、レンズユニット１０６の嵌合部１１１に取付ブラケット１０６側面が嵌合するように、取付ブラケット１０６をレンズユニット１０１に装着する。次に、取付ブラケット１０６を動かすことで、レンズユニット１０１を案内部１０４に沿って光軸方向と平行に動かし、レンズユニット１０１と原稿面(不図示)との間の距離と、レンズユニット１０１とCCD基板ユニット１０２のCCD(不図示)との間の距離を粗調整する。
【００４０】
レンズユニット１０１の位置が決定したら、レンズ固定部材１０５を位置決めピン１０９を介して取付ブラケット１０６に装着した後、取付ブラケット１０６をベースフレーム１０３に固定するねじ１０８(２ヶ所)と、レンズ固定部材１０５を取付ブラケット１０６に固定するねじ１０７を順に締め付け、レンズユニット１０１をベースフレーム１０３に対して固定する。この後、CCD基板ユニット１０２を動かすことで、レンズユニット１０１のレンズのピント・倍率等の微調整を行う。
【００４１】
レンズユニット１０１を取付ブラケット１０６に保持されたレンズ固定部材１０５を介してベースフレーム１０３に固定した状態では、レンズ固定部材１０５は、押圧部１０５ａによりレンズユニット１０１の２ヶ所の斜面部１１０を図４に示した矢印の方向に押圧するので、レンズユニット１０１をベースフレーム１０３に対して押し付けながら、レンズユニット１０１の光軸方向への移動をも規制する。レンズ固定部材１０５は、その略中央部がねじ１０７により取付ブラケット１０６に固定されるので、レンズユニット１０１の光軸方向両端部に設けられた斜面部１１０に対する押圧力を略均等にすることが可能である。
【００４２】
また、レンズユニット１０１の嵌合部１１１には、取付ブラケット１０６が極僅かの隙間をもって嵌合しているので、取付ブラケット１０６の移動とレンズユニット１０１の移動にタイムラグがほとんど発生せず、取付ブラケット１０６を動かすことでレンズユニット１０１を直接動かすのと同等の調整を行うことができ、且つ、レンズユニット１０１の２ヶ所の斜面部１１０とレンズ固定部材１０５との位置関係を略一定に保つことができる。これにより、レンズユニット１０１の位置を容易に調整できると共に、レンズ固定部材１０５からレンズユニット１０１の光軸方向両端部に設けられた斜面部１１０が受ける圧力を略均等に保つことができる。
【００４３】
また、取付ブラケット１０６には、レンズ固定部材１０５の貫通孔を貫通する２ヶ所の位置決めピン１０９が設けられているので、レンズ固定部材１０５を位置決めピン１０９を介して取付ブラケット１０６に装着した後、レンズ固定部材１０５を取付ブラケット１０６にねじ１０７で固定する際、ねじ１０７の締め付けトルクでレンズ固定部材１０５が回転したり、回転方向に歪んだりする現象を防止することができる。
【００４４】
以上説明したように、本実施の形態によれば、上述した簡易な構成で、レンズユニット１０１を変形させることなく確実にベースフレーム１０３に固定することが可能となり、振動や衝撃によってレンズ固定部材１０５の応力開放方向にレンズユニット１０１が移動してしまう現象を防止することができる。また、レンズ固定部材１０５を取付ブラケット１０６にねじで締め付ける際、レンズ固定部材１０５がレンズユニット１０１に及ぼす押圧力の方向が変化し、レンズユニット１０１がベースフレーム１０３上の案内部１０４から押し上げられたり意図しない変形を起こしたりする現象を防止することができる。
【００４５】
［第２の実施の形態］
図５は、本発明の第２の実施の形態に係る画像読取装置の主要部の構成を示す斜視図、図６は、画像読取装置の主要部の構成を示す上面図、図７は、画像読取装置のレンズユニットの斜面部及び垂直面部を示す図、図８は、レンズユニットに対するレンズ固定部材の押圧状態を示す図である。
【００４６】
図５乃至図８において、画像読取装置は、レンズユニット２０１（結像手段）、CCD基板ユニット２０２、ベースフレーム２０３（支持部材）、案内部２０４、レンズ固定部材２０５（固定部材）、取付ブラケット２０６を備えている。図中２０７、２０８はねじ、２０９は位置決めピン（位置決め手段）である。
【００４７】
本実施の形態は、上述した第１の実施の形態に対して、レンズユニット１０１に２ヶ所の斜面部を設ける代わりに、レンズユニット２０１に１ヶ所の斜面部２１０と１ヶ所の垂直面部（突き当て面部）２１１を設け、嵌合部を無くし、レンズ固定部材２０５に腕部２０５ａを配設した点において相違する。本実施の形態のその他の要素は、上述した第１の実施の形態の対応するものと同一なので、説明を省略する。
【００４８】
図７に示すように、レンズユニット２０１の光軸方向の一方の端部には、斜面部２１０が周方向に沿って形成され、レンズユニット２０１の光軸方向の他方の端部の内側には、垂直面部（突き当て面部）２１１が周方向に沿って形成されている。図中Ｌはレンズユニット２０１の光軸方向の中心線である。
【００４９】
また、図８に示すように、レンズユニット２０１に装着した取付ブラケット２０６（図８では図示を省略）の上部にレンズ固定部材２０５をねじで固定した状態では、レンズユニット２０１の内側部分を、レンズ固定部材２０５の腕部２０５ａが押圧し、レンズユニット２０１の斜面部２１０を、レンズ固定部材２０５の一端部に配設された前記斜面部２１０に対応する形状の押圧部２０５ｂが押圧し、レンズユニット２０１の垂直面部２１１を、レンズ固定部材２０５の他端部としての突き当て部２０５ｃが押圧するようになっている。
【００５０】
上記構成を有する画像読取装置において、レンズユニット２０１の位置の固定と、レンズユニット２０１及びCCDの位置の調整を行う際には、まず、ベースフレーム２０３に設けられた案内部２０４にレンズユニット２０１を載置し、レンズユニット２０１を案内部２０４に沿って光軸方向と平行に動かし、レンズユニット２０１と原稿面(不図示)との間の距離と、レンズユニット２０１とCCD基板ユニット２０２のCCDとの間の距離を租調整する。
【００５１】
次に、取付ブラケット２０６をレンズユニット２０１に装着して取付ブラケット２０６の２ヶ所の載置部（ねじ取付部）をベースフレーム２０３上に載置し、取付ブラケット２０６をベースフレーム２０３に完全に固定しない程度に、ねじ２０８を締める。更に、レンズ固定部材２０５の貫通孔に取付ブラケット２０６の位置決めピン２０９を挿入することで、レンズ固定部材２０５を取付ブラケット２０６に装着する。
【００５２】
レンズ固定部材２０５がレンズユニット２０１の斜面部２１０と垂直面部２１１の間に嵌まるようにねじ２０７を締めけると、レンズ固定部材２０５の腕部２０５ａがレンズユニット２０１を、レンズ固定部材２０５の押圧部２０５ｂがレンズユニット２０１の斜面部２１０を、レンズ固定部材２０５の突き当て部２０５ｃがレンズユニット２０１の垂直面部２１１を、図８に示した方向にそれぞれ押圧するので、レンズユニット２０１の上下方向への移動及び光軸方向への移動が規制される。この後、ねじ２０８を完全に締め付けて取付ブラケット２０６をベースフレーム２０３に固定し、更に、CCD基板ユニット２０２を動かすことで、レンズユニット１０１のレンズのピント・倍率等の微調整を行う。
【００５３】
レンズ固定部材２０５を取付ブラケット２０６に取り付ける際、取付ブラケット２０６の位置がレンズユニット２０１に対して多少ずれていても、レンズ固定部材２０５の押圧部２０５ｂがレンズユニット２０１の斜面部２１０から受ける反作用により、レンズ固定部材２０５の突き当て部２０５ｃがレンズユニット２０１の垂直面部２１１に突き当たるまで移動するので、ガタを生じさせることなくレンズユニット２０１をベースフレーム２０３に固定することが可能となる。
【００５４】
レンズ固定部材２０５の腕部２０５ａは設けなくてもレンズユニット２０１をベースフレーム２０３に固定する効果は損なわれるものではないが、レンズ固定部材２０５の押圧部２０５ｂはレンズユニット２０１の斜面部２１０に対して斜め方向に押圧しているため、レンズユニット２０１が傾く可能性があるので設けることが望ましい。
【００５５】
また、取付ブラケット２０６には、レンズ固定部材２０５の貫通孔を貫通する２ヶ所の位置決めピン２０９が設けられているので、レンズ固定部材２０５を取付ブラケット２０６にねじ２０７で固定する際、ねじ２０７の締め付けトルクでレンズ固定部材２０５が回転したり、回転方向に歪んだりする現象を防止することができる。
【００５６】
以上説明したように、本実施の形態によれば、上述した簡易な構成で、レンズユニット２０１を変形させることなく確実にベースフレーム２０３に固定することが可能となり、振動や衝撃によってレンズ固定部材２０５の応力開放方向にレンズユニット２０１が移動してしまう現象を防止することができる。また、レンズ固定部材２０５を取付ブラケット２０６にねじで締め付ける際、レンズ固定部材２０５がレンズユニット２０１に及ぼす押圧力の方向が変化し、レンズユニット２０１がベースフレーム２０３上の案内部２０４から押し上げられたり意図しない変形を起こしたりする現象を防止することができる。
【００５７】
［第３の実施の形態］
図９は、本発明の第３の実施の形態に係る画像読取装置の主要部の構成を示す斜視図、図１０は、画像読取装置の主要部の構成を示す上面図、図１１は、画像読取装置のレンズユニットをベースフレームに保持した状態を示すものであり、図１０における矢視Ａ−Ａ線に沿う断面図である。
【００５８】
図９乃至図１１において、画像読取装置は、レンズユニット３０１（結像手段）、CCD基板ユニット３０２、ベースフレーム３０３（支持部材）、案内部３０４、レンズ固定部材３０５（固定部材）、取付ブラケット３０６を備えている。図中３０７、３０８はねじ、３０９は位置決めピン（位置決め手段）である。
【００５９】
本実施の形態は、上述した第１の実施の形態に対して、レンズ固定部材３０５にレンズユニット３０１を下方向に押圧するための腕部３０５ａを設け、且つ腕部３０５ａによりレンズユニット３０１のベースフレーム３０３に対する載置部分の直上付近を押圧する点において相違する。本実施の形態のその他の要素は、上述した第１の実施の形態の対応するものと同一なので、説明を省略する。
【００６０】
図９乃至図１１に示すように、レンズ固定部材３０５の４つの隅部には、レンズユニット３０１を下方向に押圧するための腕部３０５ａが、レンズ固定部材３０５の本体部の面に対して所定の角度傾斜した状態でそれぞれ設けられている。レンズ固定部材３０５の本体部に対する腕部３０５ａの傾斜角度は、取付ブラケット３０６に対するレンズ固定部材３０５の固定時に、レンズユニット３０１の光軸方向両端部を押圧するような角度に設定されている。
【００６１】
上記構成を有する画像読取装置において、レンズユニット３０１の位置の固定とレンズユニット３０１及びCCDの位置の調整は、第１の実施の形態で説明した場合と同様に行う。図１１に示すように、レンズ固定部材３０５の腕部３０５aは、レンズユニット３０１の光軸方向両端部を下方向に押圧するので、第１の実施の形態におけるレンズユニット１０１の斜面部のみを押圧する構成に比べて、レンズユニット３０１とベースフレーム３０３との間の摩擦力が増し、レンズユニット３０１をベースフレーム３０３に固定する効果が更に高まる。
【００６２】
更に、レンズ固定部材３０５の腕部３０５aは、ベースフレーム３０３における、レンズユニット３０１を支持するレンズユニット受け部３０７（レンズユニット３０１がベースフレーム３０３に接触する部分）の直上付近を押圧するため、レンズ固定部材３０５の圧力によってレンズユニット３０１が変形し光学性能が損なわれる現象を防止することができる。
【００６３】
以上説明したように、本実施の形態によれば、上述した簡易な構成で、レンズユニット３０１を変形させることなく確実にベースフレーム３０３に固定することが可能となり、振動や衝撃によってレンズ固定部材３０５の応力開放方向にレンズユニット３０１が移動してしまう現象を防止することができる。また、レンズ固定部材３０５を取付ブラケット３０６にねじで締め付ける際、レンズ固定部材３０５がレンズユニット３０１に及ぼす押圧力の方向が変化し、レンズユニット３０１がベースフレーム３０３上の案内部３０４から押し上げられたり意図しない変形を起こしたりする現象を防止することができる。
【００６４】
［他の実施の形態］
第１の実施の形態では、レンズユニット１０１に斜面部１１０を配設すると共に、レンズ固定部材１０５に前記斜面部１１０と対応する形状の押圧部１０５ａを配設する構成としたが、レンズユニット１０１を光軸に対し斜め方向に押圧するための（押圧力を受けるための）斜面部分は、レンズユニット１０１またはレンズ固定部材１０５の何れか一方に少なくとも一つ配設する構成としてもよい。
【００６５】
第２の実施の形態では、レンズユニット２０１に斜面部２１０を配設すると共に、レンズ固定部材２０５に前記斜面部２１０と対応する形状の押圧部２０５ｂを配設する構成としたが、レンズユニット２０１を光軸に対し斜め方向に押圧するための（押圧力を受けるための）斜面部分は、レンズユニット２０１またはレンズ固定部材２０５の何れか一方に少なくとも一つ配設する構成としてもよい。
【００６６】
第１乃至第３の実施の形態では、画像読取装置について説明したが、画像読取装置のみの適用に限定されるものではなく、本発明の画像読取装置を搭載した複写機や複合機等の画像形成装置、本発明の画像読取装置を搭載したファクシミリにも適用することができる。
【図面の簡単な説明】
【００６７】
【図１】本発明の第１の実施の形態に係る画像読取装置の主要部の構成を示す斜視図である。
【図２】画像読取装置の主要部の構成を示す上面図である。
【図３】画像読取装置のレンズユニットの斜面部及び嵌合部を示す図である。
【図４】レンズユニットと取付ブラケットの嵌合状態を示す図である。
【図５】本発明の第２の実施の形態に係る画像読取装置の主要部の構成を示す斜視図である。
【図６】画像読取装置の主要部の構成を示す上面図である。
【図７】画像読取装置のレンズユニットの斜面部及び垂直面部を示す図である。
【図８】レンズユニットに対するレンズ固定部材の押圧状態を示す図である。
【図９】本発明の第３の実施の形態に係る画像読取装置の主要部の構成を示す斜視図である。
【図１０】画像読取装置の主要部の構成を示す上面図である。
【図１１】画像読取装置のレンズユニットをベースフレームに保持した状態を示すものであり、図１０における矢視Ａ−Ａ線に沿う断面図である。
【図１２】従来例に係る画像読取装置のレンズユニットの保持構造を示す上面図である。
【図１３】他の従来例に係る画像読取装置の主要部の構成を示す平面図である。
【図１４】図１３における矢視I-I線に沿う断面図である。
【図１５】図１３における矢視II-II線に沿う断面図である。
【符号の説明】
【００６８】
１０１、２０１、３０１  レンズユニット
１０２、２０２、３０２  CCD基板ユニット
１０３、２０３、３０３  ベースフレーム
１０４、２０４、３０４  案内部
１０５、２０５、３０５  レンズ固定部材
１０５ａ  押圧部
１０６、２０６、３０６  取付ブラケット
１１０  斜面部
１１１  嵌合部
２０５ａ  腕部
２０５ｂ  押圧部
２０５ｃ  突き当て部
２１０  斜面部
２１１  垂直面部
３０５ａ  腕部
３０７  レンズユニット受け部
【図１】
2005181887.tif 000003
【図２】
2005181887.tif 000004
【図３】
2005181887.tif 000005
【図４】
2005181887.tif 000006
【図５】
2005181887.tif 000007
【図６】
2005181887.tif 000008
【図７】
2005181887.tif 000009
【図８】
2005181887.tif 000010
【図９】
2005181887.tif 000011
【図１０】
2005181887.tif 000012
【図１１】
2005181887.tif 000013
【図１２】
2005181887.tif 000014
【図１３】
2005181887.tif 000015
【図１４】
2005181887.tif 000016
【図１５】
2005181887.tif 000017